(57)【要約】【課題】手動設定をしたい使用者が、直ちに使用したい輝度を設定することができ、設定時間の短縮と設定方法の簡素化を図ることができる表示装置を提供する。【解決手段】表示の明るさを調節可能な表示部材（モニタ１０２）と、表示部材の周囲輝度を検知する輝度検知手段（測光センサ１１２）とを備える。また、輝度検知手段の検知情報を元に、表示部材の表示輝度を自動で調整する自動調整モード及び表示部材の表示輝度を手動で設定する手動設定モードを備える。また、自動調整モードから手動設定モードへ変更する際は、手動設定モードで設定する表示輝度の最初の手動設定値として、自動調整モードで設定していた表示輝度の最後の設定値を代入する代入手段（全体制御ＣＰＵ２０１）を備える。【選択図】図２
2010020072.tif 000002
【特許請求の範囲】
【請求項１】
表示の明るさを調節可能な表示部材と、
前記表示部材の周囲輝度を検知する輝度検知手段と、
前記輝度検知手段の検知情報を元に、前記表示部材の表示輝度を自動で調整する自動調整モード及び前記表示部材の表示輝度を手動で設定する手動設定モードと、
前記自動調整モードから前記手動設定モードへ変更する際は、前記手動設定モードで設定する前記表示輝度の最初の手動設定値として、前記自動調整モードで設定していた前記表示輝度の最後の設定値を代入する代入手段と、
を備えることを特徴とする表示装置。
【請求項２】
前記代入手段で代入された前記最後の設定値を表示する設定メニュー表示手段と、
前記設定メニュー表示手段に表示された前記最後の設定値を前記手動設定値に変更する変更手段と、
を備えることを特徴とする請求項１記載の表示装置。
【請求項３】
前記手動設定モードにおいて前記手動設定値を確定させる確定手段を備えることを特徴とする請求項２記載の表示装置。
【請求項４】
前記表示部材は、前記手動設定モードにおける前記手動設定値の付近に現在の前記周囲輝度を表示することを特徴とする請求項３記載の表示装置。
【発明の詳細な説明】
【技術分野】
【０００１】
本発明は、表示装置に関し、詳細には、外部の光量を検知し、その情報に基づいて自動的に輝度調整やコントラスト調整を行うとともに、使用者が手動で輝度調整を行うことができる表示装置に関する。
【背景技術】
【０００２】
近年、様々な機器に表示装置が用いられるようになっている。携帯機器にも液晶ディスプレイや、ＥＬディスプレイ等、小型、薄型の表示装置が搭載され、屋外でも使用されるようになっている。このように、様々な機器に搭載された表示装置の使用環境は、暗い室内から晴天時の屋外まで、幅広いものとなっている。
【０００３】
例えば、デジタルカメラの撮影画像確認用の表示装置等は、屋外のチャペルでの撮影の後に、披露宴会場でのキャンドルサービスの撮影というように、短時間の間に大きく環境が変わる中でも適切に視認できるようにしなくてはならない。
【０００４】
そこで、従来の表示装置においては、表示装置の置かれる外部環境の光量を測光し、それに対応した輝度で、表示装置のバックライト輝度を調整するシステムが提供されるようになっている（例えば、特許文献１参照）。
【０００５】
また、温度状況の変化や、外部からの光の照射方向の他、使用者（操作者）の確認位置によっても視認度合いが異なるため、自動調整値に対して、修正をかけることが可能な表示装置も提案されている（例えば、特許文献２参照）。
【０００６】
表示の視野角が狭く（指向性が強く）、温度や、外光の入り具合に影響を受けるといった旧来の表示装置における自動調整装機能は、自動調整時の見栄のずれを補完するため、自動調整モード自身の調整テーブルを調整する機能であった。
【０００７】
最近の表示装置は、視野角も広くなり、温度への依存性や、外光の入射角による影響も減ってきているが、それでも、手動モードによって、表示装置の輝度を固定にして扱いたいという使用者も多い。
【０００８】
例えば、一眼レフデジタルカメラ等に標準の機能として搭載されているオートエクスポージャー機能は、１回の撮影時に、露光量の違う３枚の写真を撮影し、最適な写真を得ようとするものである。
【０００９】
この場合、表示確認中に表示装置の輝度が変更されると比較がし難い。そのため、こういった機能を使用する使用者は、表示モードを手動モードにて使用する必要がある。
【００１０】
また、暗中下でも、バックライト輝度を明るくして確認することで、その表示装置の暗中下による特性の変化の影響を受けないようにする使用者もいる。
【００１１】
このように、表示装置の能力は向上しているものの、使用者の意向により、その表示輝度の用途は様々である。
【特許文献１】特開平３−２３５９８５公報
【特許文献２】特許３６０６９２０号
【発明の開示】
【発明が解決しようとする課題】
【００１２】
しかしながら、輝度調整において、自動モードと手動モードを持つ表示装置においては、設定画面が図１２のようになっており、自動モードから手動モードに切り替えた際に、必ずデフォルトの値を通らねばならなかった。
【００１３】
キャンドルサービス等、暗い環境下で撮影していた使用者が、手動モードに切り替えようとした場合を例に説明する。
【００１４】
自動調整モードでは、外部が暗いことを検知し、表示装置を暗く表示する。そこで、微妙な調整を行いたい使用者が手動モードに切り替えると、図１２のような設定画面を持つシステムでは、一番明るいモードを通ってしまう。
【００１５】
そうなると、設定に時間がかかるだけでなく、人間の目に一時的に明るい光が入るために、先ほど表示していた輝度との比較さえもできなくなってしまうといった問題を含んでいた。手動設定にした際、中間の輝度から始まる表示装置も、ほぼ同様な問題が生じていた。
【００１６】
本発明の目的は、手動設定をしたい使用者が、直ちに使用したい輝度を設定することができ、設定時間の短縮と設定方法の簡素化を図ることができる表示装置を提供することにある。
【課題を解決するための手段】
【００１７】
上記目的を達成するために、請求項１記載の表示装置は、表示の明るさを調節可能な表示部材と、前記表示部材の周囲輝度を検知する輝度検知手段と、前記輝度検知手段の検知情報を元に、前記表示部材の表示輝度を自動で調整する自動調整モード及び前記表示部材の表示輝度を手動で設定する手動設定モードと、前記自動調整モードから前記手動設定モードへ変更する際は、前記手動設定モードで設定する前記表示輝度の最初の手動設定値として、前記自動調整モードで設定していた前記表示輝度の最後の設定値を代入する代入手段とを備えることを特徴とする。
【発明の効果】
【００１８】
本発明の表示装置によれば、手動設定をしたい使用者が、直ちに使用したい輝度を設定することができ、設定時間の短縮と設定方法の簡素化を図ることができる。
【発明を実施するための最良の形態】
【００１９】
以下、本発明の実施の形態を図面を参照しながら詳細に説明する。
【００２０】
図１は、本発明の実施の形態に係る表示装置を搭載するデジタルカメラの背面図である。
【００２１】
図１において、カメラ本体１０１は、以下の要素を備える。
【００２２】
モニタ１０２は、撮影された画像を確認用に表示する他、各種設定の表示も行うことが可能で、カラー液晶素子で構成される。ダイヤル１０３を回転することで各種設定を行う。
【００２３】
モニタ１０２は、表示の明るさを調節可能な表示部材として機能する。
【００２４】
メニューボタン１０４はメニュー設定を行う。輝度設定ボタン１０５は、モニタ１０２の輝度に関する設定メニューを呼び出す。ＩＮＦＯボタン１０６は、画像の詳細情報を確認するときの決定を行う。画像表示ボタン１０７は画像の表示を行う。消去ボタン１０８は不要な画像を消去する。
【００２５】
拡大ボタン１０９は再生画像を拡大する。縮小ボタン１１０は再生画像を縮小する。ＯＮ／ＯＦＦスイッチ１１１は、カメラ本体１０１の電源をオン／オフする。測光センサ１１２は外光を測光する。
【００２６】
測光センサ１１２は、表示部材としてのモニタ１０２の周囲輝度を検知する輝度検知手段として機能する。
【００２７】
またカメラ本体１０１は、セットボタン１１３を備え、さらに、この図では示されないがその他の各種操作ボタンも備える。
【００２８】
図２は、図１のデジタルカメラのブロック図である。
【００２９】
図２において、カメラ本体１０１は、デジタルカメラ全般を制御する全体制御ＣＰＵ２０１、レリーズスイッチ２０２、モニタ１０２の周囲の明るさを測定する測光センサ１１２、絞り値やシャッター速度、照明の設定等を行う各種スイッチ２０３を備える。
【００３０】
また、カメラ本体１０１は、デジタルカメラ内で必要とされる各種電圧を供給する電源２０４、レンズ、絞り、撮像素子、ＡＤ変換部等を含む撮影（撮像）部２０５を備える。
【００３１】
また、カメラ本体１０１は、画像データを一時的に記憶したり、全体制御ＣＰＵ２０１の演算結果を一時的に記憶するためのメモリ部２０６を備える。
【００３２】
また、カメラ本体１０１は、一時的にデータを保持するフラッシュＲＯＭ等の内部不揮発性メモリ２０７、画像データの記録または読み出しを行うための半導体メモリ等の脱着可能な記録媒体２０８を備える。
【００３３】
上記モニタ（表示部材）１０２は、ＴＦＴ等で構成され、撮影画像の確認や、メニュー画面等を表示する。
【００３４】
図３は、図２のデジタルカメラによって実行されるモニタの表示処理の手順を示すフローチャートである。
【００３５】
本処理は、全体制御ＣＰＵ２０１の制御の下に実行される。
【００３６】
図３において、まず、ＯＮ／ＯＦＦスイッチ１１１をオンすると、カメラ（カメラ本体１０１）に電源２０４が入る。
【００３７】
そうすると、モニタ１０２の表示モード（輝度変調モード）として何が記憶されているか確認する（ステップＳ１０１）。
【００３８】
過去の設定モードは、内部不揮発性メモリ２０７に記憶されている。これを全体制御ＣＰＵ２０１が読み出す。
【００３９】
過去に記憶されていた表示モードが「表示輝度自動調整モード（自動調整モード）」であるならば、ステップＳ１０２へ進み、「表示輝度手動設定モード（手動設定モード）」であったならば、ステップＳ１０３へ進む。
【００４０】
ここで、自動調整モードは、輝度検知手段としての測光センサ１１２の検知情報を元に、表示部材としてのモニタ１０２の表示輝度を自動で調整する。
【００４１】
まず「表示輝度自動調整モード」であった場合を説明する。
【００４２】
図４は、図３のステップＳ１０２で実行される表示輝度自動調整モードの処理の手順を示すフローチャートである。
【００４３】
図４において、まず、ステップＳ２０１で、表示時間を規定したタイマをリセットする。
【００４４】
これは、モニタ１０２が継続して点灯し続けることを防止するためのタイマであり、後述するＴ１の時間内の点灯制御を行うために使われる。尚、使用者が無限に点灯させるように設定した場合は、Ｔ１に無限の数値が代入される。
【００４５】
次に、ステップＳ２０２では、測光センサ１１２がオンされる。測光センサ１１２は、モニタ１０２周囲の明るさを測光し、その値をＥとして全体制御ＣＰＵ２０１へ伝える（ステップＳ２０３）。
【００４６】
全体制御ＣＰＵ２０１は、測光された値Ｅを図６（ａ）のテーブルに代入し、モニタ１０２の表示輝度を算出する。
【００４７】
尚、図６（ａ）のテーブルで、Ｅに対して、輝度の値ＫＡは比例関係にあるのが理想であるが、実際はこのような階段状になっており、あるいは飽和点がある。
【００４８】
例えば、晴天下の太陽光がモニタ１０２に直接入るような非常に明るい状態では、見やすくなるほどの輝度に上げることはできない。
【００４９】
モニタ１０２を太陽の反対側へ持ってきて、影側で画像確認をするのが通常である。そのため、このテーブルも、周りの明るさをＥｓａｔまで測定し、それ以上明るい場合でも、ＫＡ値は７以上に上げることはしない。
【００５０】
また、キャンドルサービス等を行うＥｄａｒｋより暗い状況になると、ＫＡ値は、１以下にはならない。これは、これ以上暗い表示になると、モニタ１０２が点灯しているか否かが使用者から解らなくなるために施している対策である。
【００５１】
尚、このような離散的な値を取ることや、動作に飽和点を設けることは本発明の本質とは異なる設計仕様であり、発明の範囲を限定するものではない。
【００５２】
例えば、使用者がキャンドルサービス等を行っている状況で、カメラを使用したときの測光値を図６（ｂ）のＥｄａｒｋとする。そうすると、テーブル参照値ＫＡは、２となる（ステップＳ２０４）。
【００５３】
これを受けて、モニタ１０２のバックライトは、２の輝度で点灯することとなる（ステップＳ２０５）。
【００５４】
尚、この状況で、輝度設定ボタン１０５を押されると（ステップＳ２０６）、ステップＳ２２０へ移行する。ステップＳ２２０の処理は後述する。
【００５５】
ステップＳ２０７で、メニューボタン１０４や拡大ボタン１０９、縮小ボタン１１０等のその他の割り込みボタンが押されて、その他の動作モードへ行く場合は、ステップＳ２２２でタイマがリセットされ、本発明とは異なる別の処理へ入る。ステップＳ２０７で、その他のボタンが押されなければ、ステップＳ２０８へ進む。
【００５６】
ステップＳ２０８で、画像表示ボタン１０７が押されると、ステップＳ２１０へ移るが、押されなければ、ステップＳ２０９へ進み、現在の時刻を計算する。タイマがＴ１以下であれば、そのままモニタ１０２の点灯を続け、ステップＳ２１１へ進む。
【００５７】
ステップＳ２１１では、タイマを１つカウントアップさせ、ステップＳ２０３へ戻る。
【００５８】
ステップＳ２０８で、画像表示ボタン１０７が押されたり、ステップＳ２０９で、タイマがＴ１を超えた場合は、表示動作を取り止めるため、モニタ１０２のバックライトを消灯させ（ステップＳ２１０）、本処理を終了する。
【００５９】
尚、ステップＳ２０６で、輝度設定ボタン１０５が押され、ステップＳ２２０へ移動した場合は、モニタには図７（ａ）のような表示がされる。「自動」と示された枠に表示がフォーカスされている。この状態で、セットボタン１１３が押されると、ステップＳ２２１で、モード選択が自動になり、再度「表示輝度自動調整モード」へと戻る（ステップＳ２０７へ）。
【００６０】
図７（ａ）の表示で、ダイヤル１０３を操作し、このフォーカスを「手動」へ移動させると、図７（ｂ）のような表示になる。この状態で、セットボタン１１３を押すと、ステップＳ３３０へ移動し、「表示輝度手動設定モード」の制御フローへ入る。
【００６１】
図５は、図３のステップＳ１０３で実行される表示輝度手動設定（調整）モードの処理の手順を示すフローチャートである。
【００６２】
図３のフローで手動が選択された場合は、図５のフローは、ステップＳ３０１から始まるが、図４のフローで「手動」が選択された場合は、図５のフローは、ステップＳ３３０から始まる。
【００６３】
図３のフローで手動が選択された場合は、まず、「表示輝度自動調整モード」のときと同様、ステップＳ３０１でタイマをクリアする。
【００６４】
内部不揮発性メモリ２０７には、電源オフにする以前の手動設定値が格納されており、ステップＳ３０２では、この記憶されている表示輝度ＫＭを取得する。
【００６５】
ステップＳ３０３以降は、以下の場合と同様なので、ステップＳ３３０からのステップを説明する。
【００６６】
図４のフローで「手動」が選択された場合は、ステップＳ３３０から始まる。
【００６７】
ステップＳ３３１では、「表示輝度自動調整モード」で算出されていた表示用輝度ＫＡを、手動表示時に使用するＫＭへ代入する。つまり、「表示輝度自動調整モード」では、ＫＡ＝２であったので、ＫＭには２が入る。
【００６８】
ステップＳ３３１は、自動調整モードから手動設定モードへ変更する際は、手動設定モードで設定する表示輝度の最初の手動設定値として、自動調整モードで設定していた表示輝度の最後の設定値を代入する代入手段として機能する。
【００６９】
続いて、ステップＳ３０３で、「表示輝度設定メニュー」を表示する。このとき、モニタ１０２に表れている画面が、図８（ａ）である。２の設定値の所にフォーカスが合っており、現在ＫＭ値が２であることを示している。
【００７０】
ステップＳ３０３は、代入手段で代入された表示輝度の最後の設定値を表示する設定メニュー表示手段として機能する。
【００７１】
ステップＳ３０４で、輝度ＫＭにてバックライトを点灯する。次に、ステップＳ３０４で、表示輝度設定メニューで対応した枠にフォーカス表示を行い、ステップＳ３０６へ進む。
【００７２】
例えば、ここで、ダイヤル１０３をアップ方向に回すと、ステップＳ３２１へ進み、ＫＭ値に１が加算され、ステップＳ３０４へ戻る。先ほど、ＫＭは２であったので、今度は１が加算され、ＫＭは３に変わっている（図８（ｂ））。
【００７３】
そのため、ステップＳ３０４では、今度はＫＭ＝３に対応する輝度でバックライトを点灯させている（図６（ｃ））。
【００７４】
ステップＳ３０７で、ダイヤル１０３をダウン方向に回すと、ステップＳ３２２へ進み、ＫＭ値に１が減算され、ステップＳ３０４へ戻る。
【００７５】
ステップＳ３０６、Ｓ３０７は、設定メニュー表示手段に表示された最後の設定値を手動設定値に変更する変更手段として機能する。
【００７６】
時間内に、ステップＳ３０８で、セットボタン１１３が押されれば、ステップＳ４００への表示モードへ進む。
【００７７】
ステップＳ３０８は、手動設定モードにおいて手動設定値を確定させる確定手段として機能する。
【００７８】
ステップＳ３０８で、セットボタン１１３が押されず、ステップＳ３０９で、タイマがＴ１を超えた場合は、表示動作を取り止めるため、モニタ１０２のバックライトを消灯させ（ステップＳ３１０）、本処理を終了する。
【００７９】
図９は、図５のステップＳ４００で実行される表示モードの処理の手順を示すフローチャートである。
【００８０】
図９において、ステップＳ４０１で、指定された輝度ＫＭでバックライトが点灯し、本来必要な画像等の情報を表示する。
【００８１】
ステップＳ４０２で、画像表示ボタン１０７が押されると、ステップＳ４０４へ飛び、モニタ１０２の消灯となり、終了を終了する。
【００８２】
また、画像表示ボタン１０７が押されることがなくとも、ステップＳ４０３で、タイマがＴ１を超えると、モニタ１０２は消灯する。ステップＳ４０３で、タイマがＴ１以下であれば、ステップＳ４０５で、タイマを１つカウントアップさせ、ステップＳ４０１に戻る。
【００８３】
図１０は、図１におけるモニタの設定画面の第１の例を示す図である。
【００８４】
測光センサ１１２の値が、そのまま指標として手動設定値の付近（左側）に表示されている。使用者は、この左に表示されるインジケータを元に、手動設定値を決定することができる。設定中に、外部の明るさが変化する場合、扱いやすい設定となっている。
【００８５】
図１１は、図１におけるモニタの設定画面の第２の例を示す図である。
【００８６】
（ａ）には、測光センサ１１２の値がそのまま指標として表示されている。また、（ｂ）には手動設定値が表示されている。
【図面の簡単な説明】
【００８７】
【図１】本発明の実施の形態に係る表示装置を搭載するデジタルカメラの背面図である。
【図２】図１のデジタルカメラのブロック図である。
【図３】図２のデジタルカメラによって実行されるモニタの表示処理の手順を示すフローチャートである。
【図４】図３のステップＳ１０２で実行される表示輝度自動調整モードの処理の手順を示すフローチャートである。
【図５】図３のステップＳ１０３で実行される表示輝度手動設定（調整）モードの処理の手順を示すフローチャートである。
【図６】図２のデジタルカメラにおける表示輝度算出テーブルを示す図である。
【図７】図１におけるモニタに表示される、輝度調整が自動か手動かを示す図である。
【図８】図１におけるモニタに表示される、表示用輝度を示す図である。
【図９】図５のステップＳ４００で実行される表示モードの処理の手順を示すフローチャートである。
【図１０】図１におけるモニタの設定画面の第１の例を示す図である。
【図１１】図１におけるモニタの設定画面の第２の例を示す図である。
【図１２】従来例に係る表示装置の輝度設定画面を示す図である。
【符号の説明】
【００８８】
１０２  モニタ
１１２  測光センサ
２０１  全体制御ＣＰＵ
２０５  撮影部
【図１】
2010020072.tif 000003
【図２】
2010020072.tif 000004
【図３】
2010020072.tif 000005
【図４】
2010020072.tif 000006
【図５】
2010020072.tif 000007
【図６】
2010020072.tif 000008
【図７】
2010020072.tif 000009
【図８】
2010020072.tif 000010
【図９】
2010020072.tif 000011
【図１０】
2010020072.tif 000012
【図１１】
2010020072.tif 000013
【図１２】
2010020072.tif 000014